【手続補正書】
【提出日】平成17年9月14日(2005.9.14)
【手続補正１】
【補正対象書類名】特許請求の範囲
【補正対象項目名】全文
【補正方法】変更
【補正の内容】
【特許請求の範囲】
【請求項１】
携帯型電子機器と着脱自在に接続され、該携帯型電子機器の機能を拡張する機能拡張装置であって、
幅方向寸法が前記携帯型電子機器の幅方向寸法と略等しく、奥行き方向寸法が前記携帯型電子機器の奥行き方向寸法の略半分の外形からなり、
前記携帯型電子機器の機能を拡張する複数種別の部品ユニットのうち選択的に単一の部品ユニットを着脱可能に収納する収納部を備えたことを特徴とする機能拡張装置。
【請求項２】
前記複数種別の部品ユニットの１つは電源供給用アダプタであり、
前記電源供給用アダプタは、商用電源に接続される電源コードと、前記電源コードが接続され前記収納部内に収納可能な外形をもつ電源変換部とからなる
ことを特徴とする請求項１記載の機能拡張装置。
【請求項３】
電子機器システムであって、
携帯型電子機器と、
該携帯型電子機器と着脱自在に接続され該携帯型電子機器の機能を拡張する携帯可能な機能拡張装置とからなり、
前記機能拡張装置は、
幅方向寸法が前記携帯型電子機器の幅方向寸法と略等しく、奥行き方向寸法が前記携帯型電子機器の奥行き方向寸法の略半分の外形からなり、
前記携帯型電子機器の機能を拡張する複数種別の部品ユニットのうち選択的に単一の部品ユニットを着脱可能に収納する収納部を備えた
ことを特徴とする電子機器システム。
【請求項４】
前記複数種別の部品ユニットの１つは電源供給用アダプタであり、
前記電源供給用アダプタは、商用電源に接続される電源コードと、前記電源コードが接続され前記収納部内に収納可能な外形をもつ電源変換部とからなる
ことを特徴とする請求項３記載の電子機器システム。
【請求項５】
携帯型電子機器と着脱自在に接続され、該携帯型電子機器の機能を拡張する機能拡張装置であって、
前記携帯型電子機器の機能を拡張する複数種別の部品ユニットのうち選択的に単一の部品ユニットを着脱可能に収納する収納部を備え、
前記複数種別の部品ユニットの１つは電源供給用アダプタであり、
前記電源供給用アダプタは、商用電源に接続される電源コードと、前記電源コードが接続され前記収納部内に収納可能な外形をもつ電源変換部とからなる
ことを特徴とする機能拡張装置。
【請求項６】
電子機器システムであって、
携帯型電子機器と、
該携帯型電子機器と着脱自在に接続され該携帯型電子機器の機能を拡張する携帯可能な機能拡張装置とからなり、
前記機能拡張装置は、
前記携帯型電子機器の機能を拡張する複数種別の部品ユニットのうち選択的に単一の部品ユニットを着脱可能に収納する収納部を備え、
前記複数種別の部品ユニットの１つは電源供給用アダプタであり、
前記電源供給用アダプタは、商用電源に接続される電源コードと、前記電源コードが接続され前記収納部内に収納可能な外形をもつ電源変換部とからなる、
ことを特徴とする電子機器システム。
【請求項７】
携帯型電子機器と着脱自在に接続されて該携帯型電子機器の機能を拡張する機能拡張装置に着脱可能に収納される部品ユニットであって、
前記機能拡張装置は、携帯型電子機器の機能を拡張する複数種別の部品ユニットのうち選択的に単一の部品ユニットを着脱可能に収納する収納部を備えたものであり、
商用電源に接続される電源コードと、
前記電源コードが接続され前記収納部内に収納可能な外形をもつ電源変換部とからなる
ことを特徴とする部品ユニット。
【手続補正２】
【補正対象書類名】明細書
【補正対象項目名】００１２
【補正方法】変更
【補正の内容】
【００１２】
本発明は、携帯型電子機器と着脱自在に接続され、該携帯型電子機器の機能を拡張する機能拡張装置であって、幅方向寸法が前記携帯型電子機器の幅方向寸法と略等しく、奥行き方向寸法が前記携帯型電子機器の奥行き方向寸法の略半分の外形からなり、前記携帯型電子機器の機能を拡張する複数種別の部品ユニットのうち選択的に単一の部品ユニットを着脱可能に収納する収納部を備えた構成としたものである。
【手続補正３】
【補正対象書類名】明細書
【補正対象項目名】００１３
【補正方法】変更
【補正の内容】
【００１３】
また、前記複数種別の部品ユニットの１つは電源供給用アダプタであり、前記電源供給用アダプタを、商用電源に接続される電源コードと、前記電源コードが接続され前記収納部内に収納可能な外形をもつ電源変換部とから構成してもよい。
【手続補正４】
【補正対象書類名】明細書
【補正対象項目名】００１４
【補正方法】変更
【補正の内容】
【００１４】
また、本発明は、電子機器システムであって、携帯型電子機器と、該携帯型電子機器と着脱自在に接続され該携帯型電子機器の機能を拡張する携帯可能な機能拡張装置とからなり、前記機能拡張装置は、幅方向寸法が前記携帯型電子機器の幅方向寸法と略等しく、奥行き方向寸法が前記携帯型電子機器の奥行き方向寸法の略半分の外形からなり、前記携帯型電子機器の機能を拡張する複数種別の部品ユニットのうち選択的に単一の部品ユニットを着脱可能に収納する収納部を備えた構成としたものである。
【手続補正５】
【補正対象書類名】明細書
【補正対象項目名】００１５
【補正方法】変更
【補正の内容】
【００１５】
また、前記複数種別の部品ユニットの１つは電源供給用アダプタであり、前記電源供給用アダプタを、商用電源に接続される電源コードと、前記電源コードが接続され前記収納部内に収納可能な外形をもつ電源変換部とから構成してもよい。
ことを特徴とする請求項３記載の電子機器システム。
【手続補正６】
【補正対象書類名】明細書
【補正対象項目名】００１６
【補正方法】変更
【補正の内容】
【００１６】
また、他の本発明は、携帯型電子機器と着脱自在に接続され、該携帯型電子機器の機能を拡張する機能拡張装置であって、前記携帯型電子機器の機能を拡張する複数種別の部品ユニットのうち選択的に単一の部品ユニットを着脱可能に収納する収納部を備え、前記複数種別の部品ユニットの１つは電源供給用アダプタであり、前記電源供給用アダプタは、商用電源に接続される電源コードと、前記電源コードが接続され前記収納部内に収納可能な外形をもつ電源変換部とから構成したものである。
【手続補正７】
【補正対象書類名】明細書
【補正対象項目名】００１７
【補正方法】変更
【補正の内容】
【００１７】
また、他の本発明は、電子機器システムであって、携帯型電子機器と、該携帯型電子機器と着脱自在に接続され該携帯型電子機器の機能を拡張する携帯可能な機能拡張装置とからなり、前記機能拡張装置は、前記携帯型電子機器の機能を拡張する複数種別の部品ユニットのうち選択的に単一の部品ユニットを着脱可能に収納する収納部を備え、前記複数種別の部品ユニットの１つは電源供給用アダプタであり、前記電源供給用アダプタを、商用電源に接続される電源コードと、前記電源コードが接続され前記収納部内に収納可能な外形をもつ電源変換部とから構成したものである。
【手続補正８】
【補正対象書類名】明細書
【補正対象項目名】００１８
【補正方法】変更
【補正の内容】
【００１８】
また、他の本発明は、携帯型電子機器と着脱自在に接続されて該携帯型電子機器の機能を拡張する機能拡張装置に着脱可能に収納される部品ユニットであって、前記機能拡張装置は、携帯型電子機器の機能を拡張する複数種別の部品ユニットのうち選択的に単一の部品ユニットを着脱可能に収納する収納部を備えたものであり、商用電源に接続される電源コードと、前記電源コードが接続され前記収納部内に収納可能な外形をもつ電源変換部とから構成したものである。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】変更
【補正の内容】
【００２２】
本発明によれば、携帯型電子機器と着脱自在に接続され、該携帯型電子機器の機能を拡張する機能拡張装置を、幅方向寸法が前記携帯型電子機器の幅方向寸法と略等しく、奥行き方向寸法が前記携帯型電子機器の奥行き方向寸法の略半分の外形からなり、前記携帯型電子機器の機能を拡張する複数種別の部品ユニットのうち選択的に単一の部品ユニットを着脱可能に収納する収納部を備えた構成としたものであるため、電子機器の機能を拡張するために用意された複数種類の部品ユニットの中から選択した部品ユニットを収納部に挿入することにより、ユーザのニーズに応じた拡張性の拡大を図ることが出来、機能拡張装置も携帯型電子機器と併せて携帯可能となる。
【手続補正１３】
【補正対象書類名】明細書
【補正対象項目名】００２３
【補正方法】変更
【補正の内容】
【００２３】
また、本発明によれば、携帯型電子機器と着脱自在に接続されて該携帯型電子機器の機能を拡張する機能拡張装置に着脱可能に収納される部品ユニットを、携帯型電子機器の機能を拡張する複数種別の部品ユニットのうち選択的に単一の部品ユニットを着脱可能に収納する収納部を備えた機能拡張装置に着脱可能なものとし、商用電源に接続される電源コードと、前記電源コードが接続され前記収納部内に収納可能な外形をもつ電源変換部とから構成したものであるため、電子機器を商用電源で動作させることが可能となり、機能拡張装置と電源アダプタを一体に携帯することができる。
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】